(57)【要約】【課題】  足に不快感を感じないようにする。識別シートが簡単に脱落しないようにする。【解決手段】  足裏が当接される底面部１１に使用者に関する情報が表示される識別シート４が取付けられる。底面部１１の土踏まずが対面する位置に識別シート４を差込み取付けが可能なポケット３が設けられている。【選択図】図１
0003126611.tif 000002
【実用新案登録請求の範囲】
【請求項１】
足裏が当接される底面部に使用者に関する情報が表示される識別シートが取付けられる履物において、底面部の土踏まずが対面する位置に識別シートを差込み取付けが可能なポケットが設けられていることを特徴とする履物。
【請求項２】
請求項１の履物において、識別シートは使用者に関する情報が表示される複数の表示欄が設けられていることを特徴とする履物。
【請求項３】
請求項２の履物において、識別シートの表示欄の少なくとも１つは使用者に関する情報が予め記入されていることを特徴とする履物。
【請求項４】
請求項２の履物において、識別シートの表示欄の少なくとも１つは使用者に関する情報を筆記具で記入可能であることを特徴とする履物。
【請求項５】
請求項１〜４のいずれかの履物において、左右の内側部にそれぞれ面状の接着部材が取付けられていることを特徴とする履物。
【考案の詳細な説明】
【技術分野】
【０００１】
本考案は、旅館，ホテル等の不特定の人が集まる施設での使用に供されるスリッパ，サンダル，下駄等の履物に係る技術分野に属する。
【背景技術】
【０００２】
不特定の人が集まる施設では、くつろぎ感の演出や部外者の判別のために、施設の内部，外部で穿く履物として共通のデザインのものが提供される。従って、自分の使用している履物を識別することが困難で、履物を脱いだり穿いたりする場所で他人が使用したものを穿いてしまうことがあり、非衛生的な使用状況がある。このため、自分が使用しているものを簡単に識別することのできる履物の開発が要望されている。
【０００３】
従来、自分が使用しているものを簡単に識別することを可能にした履物としては、例えば、以下に記載のものが知られている。
【特許文献１】実用新案登録第３０７０８７４号公報  特許文献１には、足裏が当接される底面部の踵に対面する位置に使用者に関する情報が表示される識別シートが接着により取付けられる履物が記載されている。
【０００４】
特許文献１に係る履物は、識別シートに使用者に関する情報として施設の使用者が宿泊する部屋番号や使用者の氏名等を記入することによって、脱いだ履物が自分が使用しているものであることを一見で識別できるようにするものである。なお、履物を穿くと識別シートが足で覆われて他人に知られることがないため、プライバシーの保護の機能をも奏することができる。
【考案の開示】
【考案が解決しようとする課題】
【０００５】
特許文献１に係る履物では、歩行の際に踵が識別シートに接触するため、足に不快感を感じてしまうという問題点がある。また、歩行の際に踵で識別シートが擦られたり押圧されたりするため、識別シートが剥離して脱落しやすいとい問題点がある。
【０００６】
本考案は、このような問題点を考慮してなされたもので、足に不快感を感じることがなくしかも識別シートが簡単に脱落することのない履物を提供することを課題とする。
【課題を解決するための手段】
【０００７】
前述の課題を解決するため、本考案に係る履物は、実用新案登録請求の範囲の各請求項に記載の手段を採用する。
【０００８】
即ち、請求項１では、足裏が当接される底面部に使用者に関する情報が表示される識別シートが取付けられる履物において、底面部の土踏まずが対面する位置に識別シートを差込み取付けが可能なポケットが設けられていることを特徴とする。
【０００９】
この手段では、識別シートを底面部との間に空隙を形成する土踏まずに対面する位置に取付けることで、歩行の際に足裏が識別シートに接触するのを回避する。また、識別シートを底面部との間に空隙を形成する土踏まずに対面する位置に取付けることで、歩行の際に足裏で識別シートが擦られたり押圧されたりするのを回避するとともに、識別シートをポケットに差込み取付けすることで、識別シートの取付け強度を強化する。
【００１０】
また、請求項２では、請求項１の履物において、識別シートは使用者に関する情報が表示される複数の表示欄が設けられていることを特徴とする。
【００１１】
この手段では、識別シートにおいて使用者に関する情報を複数の表示欄に階層的に表示することができる。
【００１２】
また、請求項３では、請求項２の履物において、識別シートの表示欄の少なくとも１つは使用者に関する情報が予め記入されていることを特徴とする。
【００１３】
この手段では、施設側で設定した使用者に関する情報が予め識別シートの表示欄に表示することができる。
【００１４】
また、請求項４では、請求項２の履物において、識別シートの表示欄の少なくとも１つは使用者に関する情報を筆記具で記入可能であることを特徴とする。
【００１５】
この手段では、使用者が自由に使用者に関する情報を識別シートの表示欄に記入により表示することができる。
【００１６】
また、請求項５では、請求項１〜４のいずれかの履物において、左右の内側部にそれぞれ面状の接着部材が取付けられていることを特徴とする。
【００１７】
この手段では、接着部材を接着させることで左右を連結することができる。
【考案の効果】
【００１８】
本考案に係る履物は、識別シートを底面部との間に空隙を形成する土踏まずに対面する位置に取付けて歩行の際に足裏が識別シートに接触するのを回避するため、足に不快感を感じることがなくなる効果がある。また、識別シートを底面部との間に空隙を形成する土踏まずに対面する位置に取付けて歩行の際に足裏で識別シートが擦られたり押圧されたりするのを回避するとともに、識別シートをポケットに差込み取付けして識別シートの取付け強度を強化しているため、識別シートが簡単に脱落することがない効果がある。
【００１９】
また、請求項２として、識別シートにおいて使用者に関する情報を複数の表示欄に階層化等して表示することができるため、識別シートの識別表示機能を高めることができる効果がある。
【００２０】
また、請求項３として、施設側で設定した使用者に関する情報が予め識別シートの表示欄に表示されるため、施設側でも使用者を識別することができるとともに、使用者側の記入作業を省略することができる効果がある。
【００２１】
また、請求項４として、使用者が自由に使用者に関する情報を識別シートの表示欄に記入により表示することができるため、使用者側が使用者に関する情報を簡単に補足，追加することができる効果がある。
【００２２】
また、請求項５として、接着部材を接着させることで左右を連結することができるため、履物を脱いだり穿いたりする場所で左右が散乱してしまうのを防止することができる効果がある。
【考案を実施するための最良の形態】
【００２３】
以下、本考案に係る履物を実施するための最良の形態を図面に基づいて説明する。
【００２４】
図１〜図５は、本考案に係る履物を実施するための最良の形態の第１例を示すものである。
【００２５】
第１例は、図１に示すように、ほぼ平板形の底板１の先端側（足先側）に半ドーム形の甲皮２が設けられたスリッパからなる。
【００２６】
底板１は、足裏Ｆが当接される底面部１１の土踏まず対面する位置にポケット３が設けられている。
【００２７】
ポケット３は、長方形の透明または半透明のウオータバリア性合成樹脂シートからなるもので、３つの縁辺３１，３２，３３がヒートシール等で底板１の底面部１１に接着され、１つの縁辺３４が開放口とされた袋形状に形成されている。このポケット３は、大きさが足裏Ｆの土踏まずにおさまり足裏Ｆの他の部分に接触することがないように設定され、厚さ（底板１の底面部１１からの高さ）が足裏Ｆの土踏まずに接触することのないように設定されている。
【００２８】
ポケット３には、識別シート４が抜差し可能になっている。
【００２９】
識別シート４は、ポケット３よりも一回り小形の長方形の薄性シートからなるもので、表面に３個の表示欄４１，４２，４３が整列して設けられ、１つの短手辺に舌片形の摘片４４が設けられている。１つの表示欄４１については、例えば、施設の使用者が宿泊する部屋番号（部屋名）を予め印刷等で記入しておく。即ち、施設側で設定した使用者に関する情報を予め表示欄４１に表示しておくことで、施設側でも使用者を識別することができるとともに、使用者側の記入作業を省略することができる。また、他の１つの表示欄４２については、例えば、使用者の氏名（サイン，絵）をボールペン，サインペン等の筆記具で使用の際に記入できるようにする。即ち、使用者が自由に設定した使用者に関する情報を表示欄４２に表示することができる。残る他の一つの表示欄４３については、例えば、使用者の共通する旅行団体名（旅行社名）をボールペン，サインペン等の筆記具で使用の際に記入できるようにする。即ち、複数の使用者に共通する使用者に関する情報を記入することができる。これ等の複数個が整列された表示欄４１，４２，４３は、前述の記入例に限られず、使用者に関する情報を階層的に表示する等によって詳細な表示を可能にする。摘片４４は、指先で摘める大きさに形成され、識別シート４のポケット３の開放口とされた縁辺３４に対しての抜差しの際に摘むことで、識別シート４の抜差し操作を容易にする。
【００３０】
甲皮２は、左右の内側部分に面状の接着部材５が取付けられいる。
【００３１】
接着部材５は、微細な短線材が起立されたベルベットファスナやフレキシブルなシートマグネット等のように、左右が揃えられ当接されることによって自然（無理な押圧操作や係合操作が要求されない）に接着されるものが選択される。この接着部材５は、甲皮２の後端寄りに配置されている。
【００３２】
第１例によると、特許文献１に係る履物と同様に、ポケット３から透視された識別シート４の表示欄４１，４２，４３から、脱いだ履物が自分が使用しているものであることを一見で識別できる。また、履物を穿くと識別シート４が足で覆われて他人に知られることがなるため、プライバシーの保護の機能をも奏することができる。
【００３３】
さらに、図４に示すように、履物を穿いたまま左右を揃えて当接させると、接着部材３の接着によって左右が連結される。従って、履物を脱いだり穿いたりする場所で左右が散乱してしまうのを防止することができる。なお、図５に示すように、履物を穿いてから爪先側を支点として後方側を広げると、接着部材５の接着を解除して左右を簡単に分離することができる。即ち、手を触れることなく接着部材５の接着，接着解除を操作することができて非常に衛生的である。
【００３４】
第１例を穿いて歩行した場合、ポケット３，識別シート４が足裏Ｆの土踏まずに対面する位置にあって土踏まずにおさまる大きさ，厚さであるため、足裏Ｆがポケット３，識別シート４に接触するのが回避され、足に不快感を感じることがなくなる。また、ポケット３，識別シート４が足裏Ｆの土踏まずに対面する位置にあって土踏まずにおさまる大きさ，厚さであるため、足裏Ｆでポケット３，識別シート５が擦られたり押圧されたりするのが回避され、識別シート４が簡単に脱落することがなくなる。なお、識別シート４がポケット３に差込み取付けされて、識別シート４が剥離しないように取付け強度が強化されていることも、識別シート４の脱落の防止に役立っている。
【００３５】
また、ウオータバリア性合成樹脂シートであるポケット３が識別シート４を覆っているため、足裏Ｆの汗等で識別シート４の表示欄４１，４２，４３の記入事項が汚損，消去されることはない。
【００３６】
図６は、本考案に係る履物を実施するための最良の形態の第２例を示すものである。
【００３７】
第２例は、前述の第１例のポケット３のほぼ全面に窓３５を開口してある。
【００３８】
第２例によると、ポケット３の窓３５から識別シート４の表示欄４１，４２，４３を直視することができるため、第１例の透視の場合におけるポケット３の材質劣化，汚損による透明性，半透明性の低下の不具合が生じなくなる。
【００３９】
また、第２例では、識別シート４が足裏Ｆに直接対面されるため、識別シート４に芳香剤，消臭剤，抗菌剤を含有させておくことで、衛生的で心地よい使用感を提供することができる。なお、識別シート４を繊維材等で形成して通気性を確保しておくと、足裏Ｆの汗等が識別シート４の表面に滞溜するのを防止することができる。
【００４０】
以上、図示した各例の外に、スリッパの外にサンダル，下駄等に適用することも可能である。
【００４１】
さらに、識別シート４の表示欄４１，４２，４３を２個または４個以上とすることも可能である。
【００４２】
さらに、接着部材５を底板１の側面部１２に取付けることも設けることも可能である。
【図面の簡単な説明】
【００４３】
【図１】本考案に係る履物を実施するための最良の形態の第１例の斜視図である。
【図２】図１の要部の拡大縦断面図である。
【図３】図１の平面図である。
【図４】図２の左右の連結状態図である。
【図５】図３の左右の離脱操作図である。
【図６】本考案に係る履物を実施するための最良の形態の第２例の要部の断面図である。
【符号の説明】
【００４４】
１                底板
１１              底面部
２           
甲皮
３                ポケット
４                識別シート
４１，４２，４３  表示欄
５                接着部材
Ｆ                足裏
【図１】
0003126611.tif 000003
【図２】
0003126611.tif 000004
【図３】
0003126611.tif 000005
【図４】
0003126611.tif 000006
【図５】
0003126611.tif 000007
【図６】
0003126611.tif 000008